(57)【要約】【課題】梯子の中間の一部の踏み桟を左右支柱から簡単に取り外せる梯子を提供する。【解決手段】夫々主壁３と両側壁４，４とで断面コ字状を成す左右一対の支柱１，１の両主壁３，３間に踏み桟２を一定間隔おきに取り付けてなる梯子において、踏み桟２の一端に楕円形状の第１取付フランジ５を取り付け、踏み桟２の他端には所要の形状及び大きさの第２取付フランジ６を取り付け、左右支柱１，１の対向する主壁３，３の何れか一方には、踏み桟２と共に第１取付フランジ５を通し入れることができ且つ外側から第２取付フランジ６によって塞がれるような楕円形状の貫通孔９を設け、この一方の主壁３の貫通孔９から踏み桟２と共に通し入れた第１取付フランジ５を他方の主壁３の内面側に当接させてボルト１４で固定し、第２取付フランジ６を一方の主壁３の外面側に当接させてボルト１４で固定する。【選択図】図５
2008069554.tif 000002
【特許請求の範囲】
【請求項１】
夫々主壁と両側壁とで断面コ字状を成す左右一対の支柱の両主壁間に踏み桟を一定間隔おきに取り付けてなる梯子において、
踏み桟の一端には概略楕円形状の第１取付フランジを同心状に取り付け、踏み桟の他端には所要の形状及び大きさの第２取付フランジを同心状に取り付け、左右支柱の対向する主壁の何れか一方には、踏み桟と共にその第１取付フランジを通し入れることができ且つ外側から第２取付フランジによって塞がれるような概略楕円形状の貫通孔を設け、この一方の主壁の貫通孔から踏み桟と共に通し入れた第１取付フランジを他方の主壁の内面側に当接させてボルトで固定し、第２取付フランジを前記一方の主壁の外面側に当接させてボルトで固定してなることを特徴とする梯子。
【請求項２】
第１取付フランジには長径側の両端部に夫々係止爪を突設し、この第１取付フランジが当接する支柱の主壁には各係止爪が係止する係止孔を設けてなることを特徴とする請求項１に記載の梯子。
【発明の詳細な説明】
【技術分野】
【０００１】
本発明は、夫々主壁と両側壁とで断面コ字状を成す左右一対の支柱の両主壁間に踏み桟を一定間隔おきに取り付けてなる梯子に関するものである。
【背景技術】
【０００２】
従来の梯子として、特許公報等の具体的な公知文献を挙げることはできないが、従来使用されている梯子の製作・組み付けにあたっては、踏み桟の両端に夫々矩形又は円形状の取付フランジを同心状に取り付け、この踏み桟両端の取付フランジを左右支柱の対向する主壁に夫々内側から当接させて、夫々ボルトにより取り付け固定していた。
【発明の開示】
【発明が解決しようとする課題】
【０００３】
上記従来の梯子によれば、踏み桟両端の取付フランジを左右支柱の対向する主壁に当接させて夫々ボルトで取り付けるようにしているため、梯子の中間の一部の踏み桟が破損するなどして取り替えを必要とする時には、取り替えを必要とする踏み桟だけでなく全ての踏み桟を両支柱から取り外さなければならず、その取り替え作業に非常な手間と時間を要していた。
【０００４】
本発明は、上記の課題に鑑み、梯子の中間の一部の踏み桟が破損するなどして取り替えを必要とする際に、取り替えを必要とする踏み桟のみを取り外して簡単容易に取り替えることができる梯子を提供することを目的とする。
【課題を解決するための手段】
【０００５】
上記課題を解決するための手段を、後述する実施形態の参照符号を付して説明すると、請求項１に係る発明は、夫々主壁３と両側壁４，４とで断面コ字状を成す左右一対の支柱１，１の両主壁３，３間に踏み桟２を一定間隔おきに取り付けてなる梯子において、
踏み桟２の一端には概略楕円形状の第１取付フランジ５を同心状に取り付け、踏み桟２の他端には所要の形状及び大きさの第２取付フランジ６を同心状に取り付け、左右支柱１，１の対向する主壁３，３の何れか一方には、踏み桟２と共にその第１取付フランジ５を通し入れることができ且つ外側から第２取付フランジ６によって塞がれるような概略楕円形状の貫通孔９を設け、この一方の主壁３の貫通孔９から踏み桟２と共に通し入れた第１取付フランジ５を他方の主壁３の内面側に当接させてボルト１４で固定し、第２取付フランジ６を前記一方の主壁３の外面側に当接させてボルト１４で固定してなることを特徴とする。
【０００６】
請求項２は、請求項１に記載の梯子において、第１取付フランジ５には長径側の両端部に夫々係止爪１２を突設し、この第１取付フランジ５が当接する支柱１の主壁３には各係止爪１２が係止する係止孔１３を設けてなることを特徴とする。
【発明の効果】
【０００７】
上記解決手段による発明の効果を、後述する実施形態の参照符号を付して説明すると、請求項１に係る発明の梯子によれば、梯子の中間の一部の踏み桟２を取り外すときには、踏み桟２の一端側の第１取付フランジ５を一方の支柱１の主壁３に取り付けているボルト１４を緩めて、第１取付フランジ５を主壁３から切り離し、また踏み桟２の他端側の第２取付フランジ６を他方の支柱１の主壁３に取り付けているボルト１４を緩めて、第２取付フランジ６を主壁３から切り離した後、踏み桟２を第１取付フランジ５と共に前記他方の支柱１の主壁３の貫通孔９から外方へ抜き出すことによって、踏み桟２を左右両支柱１，１から取り外すことができ、従って踏み桟２の取り替え作業を迅速容易に行なうことができる。
【０００８】
請求項２に係る発明によれば、踏み桟２を左右支柱１，１に取り付ける際に、踏み桟２の一端側の第１取付フランジ５の係止爪１２を、この第１取付フランジ５が取り付けられる支柱１の主壁３に設けた係止孔１３に係止させることにより、踏み桟２の第１取付フランジ５側端部が支柱１側から脱落するのを防止し、それによって踏み桟２の取付作業を迅速容易に行なうことができる。
【発明を実施するための最良の形態】
【０００９】
以下に本発明の好適な実施形態について図面を参照しながら説明すると、図１の(a) は本発明に係る梯子の正面図、(b) は左側面図、(c) は右側面図、(d) は平面図であり、図２の(a) は踏み桟の正面図、(b) は左側面図、(c) は右側面図、(d) は(b) の矢印イから見た図である。また図３の(a) は左右両支柱の正面図、(b) は左側面図、(c) は右側面図、(d) は(a) のＹ−Ｙ線断面図である。
【００１０】
この梯子は、左右一対の支柱１，１間に踏み桟２を一定間隔おきに横架して形成され、各支柱１は、図３の(d) に示すように、主壁３と両側壁４，４とにより断面コ字状に形成されたアルミ押出型材からなり、踏み桟２は、円筒状のアルミ押出型材からなるもので、図３の(d) に示すように左右支柱１，１を夫々コ字状断面のコ字状開口部側を内向きにして平行に配置し、これら両支柱１，１の両側壁４，４間に踏み桟２を一定間隔おきに取り付けることによって、梯子を組立て形成する。
【００１１】
踏み桟２の一端には、図２の(b) に示すような概略楕円形状の第１取付フランジ５が同心状に取り付けられ、踏み桟２の他端には、図２の(c) に示すように、例えば対角線の長さが前記楕円形状第１取付フランジ５の長径と略々同程度の概略矩形状の第２取付フランジ６が同心状に取り付けられている。尚、ここで、概略楕円形状は、一般的な楕円形や、長円形の他に、角の丸い長方形等も含むものとする。第１取付フランジ５及び第２取付フランジ６の取付けにあたっては、例えば、円筒状アルミ押出型材からなる踏み桟２の端部をバルジ加工して形成した内側の内鍔部ａの外側に第１取付フランジ５又は第２取付フランジ６を嵌め込んだ後、同様なバルジ加工により外鍔部ｂを形成して、この外鍔部ｂと内鍔部ａとの間で第１取付フランジ５又は第２取付フランジ６を挟着固定する。
【００１２】
上記概略楕円形状の第１取付フランジ５にはその長径側両端部に夫々ボルト挿通孔７が設けられ（図２の(b) 参照）、また第２取付フランジ６には図２の(c) に示すように直径方向両端部にボルト挿通孔８が設けられている。
【００１３】
踏み桟２の第２取付フランジ６側が取り付けられる支柱１の主壁３には、図３の(c) に示すように、踏み桟２と共にその第１取付フランジ５を通し入れることができ且つ主壁３の外側から第２取付フランジ６によって塞がれるような概略楕円形状の貫通孔９が設けられ、この貫通孔９の両側にはボルト挿通孔１０が設けられている。この貫通孔９は、大きさが第２取付フランジ６よりも小さく形成されると共に、その形状である概略楕円形も、一般的な楕円形や、長円形の他に、角の丸い長方形等を含むものとする。尚、第２取付フランジ６は、概略楕円形状の貫通孔９を主壁３の外面側から十分な余裕（塞ぎ代）をもって塞ぐことができるような大きさ及び形状のものであればよい。十分な余裕（塞ぎ代）をもって塞ぐというのは、この第２取付フランジ６を主壁３にボルト止めするためのボルト挿通孔８をフランジ６の周辺部に設ける必要があるからである。
【００１４】
踏み桟２の第１取付フランジ５側が取り付けられる支柱１の主壁３には、図３の(b) に示すように、円形状の開口部３０が設けられ、この開口部３０の両側にはボルト挿通孔１１が設けられている。尚、この開口部３０は、梯子を鉄骨からなる建物の支柱の取り付ける場合のシャフトを通すためのものである。
【００１５】
また、図２の(a) ，(b) に示すように、踏み桟２の一端に取り付けられる概略楕円形状第１取付フランジ５には、その長径側の両端部に夫々係止爪１２がフランジ面から直角外向きに突設されている。この係止爪１２は、踏み桟２の第１取付フランジ５側端部を支柱１の主壁３の所定箇所に位置決めする際に、この第１取付フランジ５が当接する主壁３に設けられた係止孔１３に係止され、それによって第１取付フランジ５が所定箇所から脱落するのを防止するためのものである。第１取付フランジ５に突設させる係止爪１２は、図２の(a) ，(b) から分かるように、フランジ５の所要部に２条の切り込みを入れて、その切込線間を引き起こすことにより形成される切り起こし片とすることにより簡単に形成できる。
【００１６】
次に、踏み桟２を左右の支柱１，１に取り付ける方法について図５〜図７を参照しながら説明する。
【００１７】
先ず、図５の(a) に示すように、左右の支柱１，１を、夫々コ字状断面のコ字状開口部側を内向きにした状態で平行に配置する。そして、図５の(b) に示すように、一端（左端）に第１取付フランジ５を取り付け、他端（右端）に第２取付フランジ６を取り付けた踏み桟２を、その第１取付フランジ５側から右支柱１の貫通孔９に通し入れる。このとき、踏み桟２は、図５の(c) に示すように、左下がり状態、即ち第１取付フランジ５が下側に位置するように傾けた状態でその第１取付フランジ５を貫通孔９に通す。
【００１８】
上記のように踏み桟２を左下がりとした状態で第１取付フランジ５が右支柱１の貫通孔９を通過したならば、図６に示すように、踏み桟２を水平状態にして、そのまま真っ直ぐ、先端部（左端部）の第１取付フランジ５が左支柱１の主壁３に当たるまで踏み桟２を差し込む。
【００１９】
しかして、踏み桟２左端側の第１取付フランジ５が左支柱１の主壁３の内面側に当接し且つ踏み桟２の右端側の第２取付フランジ６が右支柱１の主壁３の外面側に当接すれば、左支柱１の主壁３に設けてあるボルト挿通孔１１から第１取付フランジ５のボルト挿通孔７にボルト１４を挿通して、主壁３の内側からナット１５を螺合し、締め付けることによって第１取付フランジ５を左支柱１に固定すると共に、第２取付フランジ６のボルト挿通孔８から右支柱１の主壁３に設けてあるボルト挿通孔１０にボルト１４を挿通して、主壁３の内側からナット１５を螺合し、締め付けることによって第２取付フランジ６を右支柱１に固定し、踏み桟２の取付けを完了し、この状態を図４に示す。
【００２０】
尚、右支柱１の貫通孔９から踏み桟２と共に通し入れた第１取付フランジ５を左支柱１の主壁３の内面側に当接させる際に、第１取付フランジ５の長径側両端部に夫々突設されている係止爪１２を、左支柱１の主壁３に設けてある係止孔１３に係止させる。これは、図６を参照すれば分かるように、右支柱１の貫通孔９から踏み桟２を通し入れる時には、踏み桟２の右端部は右支柱１の貫通孔９に引っ掛かるが、通し入れ端部である左端部は
第１取付フランジ５が左支柱１の主壁３の内面側に当たるだけで、何も引っ掛かり部分がないため、そのままでは脱落してしまうことから、第１取付フランジ５の係止爪１２を左支柱１の主壁３に設けた係止孔１３に係止させることにより、第１取付フランジ５側端部の脱落を防止し、それによって踏み桟２の取付作業を迅速容易に行なうことができるようにしたものである。
【００２１】
梯子の組立時には、上記のような方法によって全ての踏み桟２を左右両支柱１，１に取り付けるわけであるが、踏み桟２と共に第１取付フランジ５を通し入れる貫通孔９は、左右何れかの支柱１に設ければよく、従って踏み桟２の左右の向きは任意に設定することができる。この実施形態では、図１の(b) 及び(c) を参照すれば分かるように、第１取付フランジ５を通し入れる貫通孔９は左右支柱１，１に交互に設けて、踏み桟２の１段おきに左右の踏み桟２の向きを変えており、こうすることによって梯子の撓み、重量等のバランスをとることができる。
【００２２】
以上は踏み桟２を左右支柱１，１に取り付ける方法の説明であるが、梯子の中間の一部の踏み桟２が破損するなどして取り替えを必要とする際に、踏み桟２を取り外すときは、上述した踏み桟２の取付方法の逆を行なえばよい。
【００２３】
即ち、図４に示すように左右支柱１，１に取り付けられた踏み桟２を取り外す時には、左支柱１側で主壁３の外面側に突出しているボルト１４を緩めて踏み桟２の第１取付フランジ５を主壁３から切り離すと共に、右支柱１側で主壁３の外面側に第２取付フランジ６を固定しているボルト１４を緩め、この第２取付フランジ６を主壁３から切り離した後、踏み桟２を第１取付フランジ５と共に右支柱１側の主壁３の貫通孔９から外方へ抜き出すことによって、この踏み桟２を左右両支柱１，１から簡単に取り外すことができる。従って、踏み桟２の取り替え作業を迅速容易に行なうことができる。
【００２４】
この場合、第１取付フランジ５に設けてある係止爪１２が、支柱１の主壁３に設けてある係止孔１３に係止されている（図２の(d) 参照）が、支柱１の主壁３は比較的薄いので、この主壁３部分を外側へ押圧して若干膨出変形させるようにすれば、その係止爪１２を主壁３の係止孔１３から容易に離脱させることができる。
【００２５】
以上の実施形態では、本発明を、それ自体では自立できない梯子について説明したが、本発明の梯子は、前後一対の梯子体の上端部どうしを枢着してなる脚立における各梯子体にも適用可能である。
【図面の簡単な説明】
【００２６】
【図１】(a) は本発明に係る梯子の正面図、(b) は左側面図、(c) は右側面図、(d)は平面図である。
【図２】(a) は踏み桟の正面図、(b) は左側面図、(c) は右側面図、(d) は(b) の矢印イから見た図面である。
【図３】(a) は左右両支柱の正面図、(b) は左側面図、(c) は右側面図、(d) は(a)のＹ−Ｙ線断面図である。
【図４】(a) は踏み桟が左右両支柱に取り付けられた状態の一部断面正面図、(b) は同状態の左側面図、(c) は右側面図である。
【図５】踏み桟の取付方法を示すもので、(a) は左右両支柱の正面図、(b) は踏み桟の正面図、(c) は踏み桟を傾けてその第１取付フランジ端部側を右支柱の貫通孔に通し入れている状態の正面図である。
【図６】同じく踏み桟の取付方法を示すもので、踏み桟の第１取付フランジを右支柱の貫通孔から通して、左支柱側に当接させようとしている状態の正面図である。
【図７】(a) は踏み桟が左右両支柱に取り付けられた状態の概略正面図、(b) は左側面図、(c) は右側面図である。
【符号の説明】
【００２７】
１            支柱
２            踏み桟
３            支柱の主壁
４            支柱の両側壁
５            第１取付フランジ
６            第２取付フランジ
７，８        ボルト挿通孔
９            貫通孔
１０，１１    ボルト挿通孔
１２          係止爪
１３          係止孔
１４          ボルト
１５          ナット
【図１】
2008069554.tif 000003
【図２】
2008069554.tif 000004
【図３】
2008069554.tif 000005
【図４】
2008069554.tif 000006
【図５】
2008069554.tif 000007
【図６】
2008069554.tif 000008
【図７】
2008069554.tif 000009